(57)【要約】【課題】    折り返しミラーの撓みを防止する光走査装置及びこの光走査装置を備えた多色画像形成装置を得る。【解決手段】  支持部材４４Ｒの当接部５６の当接面５８と対面可能な折り返しミラー１８の当接面６０に、ＰＥＴ等のフィルム部材５７をコーティングし、支持部材４４Ｒの当接面５８と折り返しミラー１８の当接面６０との静摩擦係数を０．３以下とすることで、支持部材４４Ｒの当接面５８と折り返しミラー１８の当接面６０とにおける摩擦力を小さくすることができ、環境等の温度変化の影響により折り返しミラー１８が熱膨張しても、折り返しミラー１８を長手方向に沿って伸長させることができる。これにより、折り返しミラー１８の撓みは防止され、折り返しミラー１８が撓むことによって生じる感光体面上の走査光の倍率変動を防止することができる。【選択図】    図３
2005234172.tif 000002
【特許請求の範囲】
【請求項１】
走査偏光された走査光を反射する折り返しミラーと、前記折り返しミラーの長手方向の両端部で折り返しミラーを支持する支持手段と、前記支持手段に対応して前記折り返しミラーを押圧する押圧手段と、を備えた光走査装置において、
前記折り返しミラーと前記支持手段との少なくとも一方の当接部の静摩擦係数が０．３以下とされたことを特徴とする光走査装置。
【請求項２】
前記支持手段側の当接部が、前記折り返しミラーの長手方向に沿った曲面とされたことを特徴とする請求項１に記載の光走査装置。
【請求項３】
前記支持手段側の当接部が、前記折り返しミラーの長手方向に沿って切削加工されたことを特徴とする請求項１に記載の光走査装置。
【請求項４】
前記折り返しミラー側の当接部に滑面材料がコーティングされたことを特徴とする請求項１〜３の何れか１項に記載の光走査装置。
【請求項５】
走査偏光された走査光を反射する折り返しミラーと、前記折り返しミラーの長手方向の両端部で折り返しミラーを支持する支持手段と、前記支持手段に対応して前記折り返しミラーを押圧する押圧手段と、を備えた光走査装置において、
前記折り返しミラーと前記支持手段との少なくとも一方の当接部に、前記当接部の静摩擦係数を０．３以下とする摺動部材が設けられたことを特徴とする光走査装置。
【請求項６】
前記摺動部材が円環状に形成され、前記支持手段側の当接部に挿通されたことを特徴とする請求項５に記載の光走査装置。
【請求項７】
走査偏光された走査光を反射する折り返しミラーと、前記折り返しミラーの長手方向の両端部で折り返しミラーを支持する支持手段と、前記支持手段に対応して前記折り返しミラーを押圧する押圧手段と、を備えた光走査装置において、
前記折り返しミラーと前記押圧手段が当接する当接部の少なくとも一方の当接部及び折り返しミラーと前記支持手段が当接する当接部の少なくとも一方の当接部に、前記当接部の静摩擦係数を０．３以下とする円環状の摺動部材が挿通されたことを特徴とする光走査装置。
【請求項８】
請求項１〜７の何れかに記載の光走査装置を備えたことを特徴とする多色画像形成装置。
【発明の詳細な説明】
【技術分野】
【０００１】
本発明は、本発明は、レーザプリンタ、デジタル複写機等の光走査装置及びこの光走査装置を備えた多色画像形成装置に関する。
【背景技術】
【０００２】
図１０に示すように、光走査装置１００は、光源１０２から出射されたレーザ光Ｌが、集光レンズ１０４群を介して回転多面鏡１０６へ照射されると共に、回転多面鏡１０６の回転に伴って走査され、結像レンズ１０８を介して折り返しミラー１１０で反射されて、感光体１１２を走査露光するように構成されている。
【０００３】
このような光走査装置１００は、金属製の光学箱１１４を備えているが、環境等の温度変化の影響を受けると、この光学箱１１４が熱変形してしまい、光学箱１１４内に設置されている折り返しミラー１１０がこの影響を受けて撓んでしまう。
【０００４】
これは、光学箱１１４と折り返しミラー１１０との線熱膨張係数が異なっているためであり、撓んだ状態の折り返しミラー１１０でレーザ光Ｌが反射されると、感光体１１２の被走査面上で走査線の倍率変動が起きてしまう。
【０００５】
また、折り返しミラー１１０に当接する支持部材１１６Ｒ、１１６Ｌの当接面にバリが生じた場合、折り返しミラー１１０にヒステリシスが残り、元の形状に戻り難く、折り返しミラー１１０が撓んだままの状態となってしまう。そして、この場合も走査線の倍率変動は生じてしまう。
【０００６】
一方、カラー画像を高速で出力するため複数の光ビームを用いた光走査装置では、複数の被走査面上を走査して静電潜像を形成し、転写ドラム等の転写部材で複数のトナー像を重ね合わせることでカラー画像を形成するため、上記のように走査線の倍率変動が生じた場合、各色の走査線の倍率が異なった状態で画像が重ね合わされ、いわゆるカラーレジずれが発生して、画像が劣化してしまう。
【０００７】
このため、本発明者らによって先に出願された特許文献１では、図１１に示すように、光ビームを反射して被走査面（図示省略）へ導く各色の折り返しミラー１１０の反射面１１０Ａ側を支持する支持部材１１６Ｒ、１１６Ｌ及びミラー角度調整部材１１８に対し、折り返しミラー１１０の裏面１１０Ｂ側を押圧する弾性部材１２０Ｒ、１２０Ｌを、それぞれ折り返しミラー１１０の中央側へ距離Ｘ１、Ｘ２ずらして配置し固定する。
【０００８】
これにより、各折り返しミラー１１０には法線Ｌ方向に曲げモーメントが生じるようになるため、熱膨張すると折り返しミラー１１０の中央部が、反射面１１０Ａ側に膨らむようにして歪む。この歪み方向が各折り返しミラー１１０で揃えられることにより、各色の倍率変動差を小さくして、カラーレジずれを抑えている。
【特許文献１】特開２００２−７４７９７号公報
【発明の開示】
【発明が解決しようとする課題】
【０００９】
しかしながら、これはあくまでも各折り返しミラー１１０との相対比較による倍率変動差であり、折り返しミラー１１０自体の撓みを小さくするというものではない。
【００１０】
本発明は上記事実を考慮し、折り返しミラーの撓みを防止する光走査装置及びこの光走査装置を備えた多色画像形成装置を提供することを課題とする。
【課題を解決するための手段】
【００１１】
請求項１に記載の発明は、走査偏光された走査光を反射する折り返しミラーと、前記折り返しミラーの長手方向の両端部で折り返しミラーを支持する支持手段と、前記支持手段に対応して前記折り返しミラーを押圧する押圧手段と、を備えた光走査装置において、前記折り返しミラーと前記支持手段との少なくとも一方の当接部の静摩擦係数が０．３以下とされたことを特徴としている。
【００１２】
請求項１に記載の発明では、走査偏光された走査光を反射する折り返しミラーの長手方向の両端部には、折り返しミラーを支持する支持手段を設けている。この支持手段に対応して押圧手段が配置されており、折り返しミラーを押圧している。
【００１３】
ここで、折り返しミラーと支持手段との少なくとも一方の当接部の静摩擦係数を０．３以下としており、これにより、折り返しミラーが熱熱膨張するときの折り返しミラーに掛かる摩擦力を小さくしている。
【００１４】
例えば、折り返しミラーの両端部を固定した場合、折り返しミラーが長手方向に沿って熱膨張すると、熱膨張した分だけ折り返しミラーは撓んでしまう。しかし、折り返しミラーと支持手段との少なくとも一方の当接部の静摩擦係数を小さくすることで、環境等の温度変化の影響により折り返しミラーが熱膨張しても、折り返しミラーを長手方向に沿って伸長させることができる。これにより、折り返しミラーの撓みは防止され、折り返しミラーが撓むことによって生じる感光体面上の走査光の倍率変動を防止することができる。
【００１５】
請求項２に記載の発明は、前記支持手段側の当接部が、前記折り返しミラーの長手方向に沿った曲面とされたことを特徴としている。請求項２に記載の発明では、支持手段側の当接部を、折り返しミラーの長手方向に沿った曲面とすることで、折り返しミラーと支持手段との当接面積を小さくしている。
【００１６】
これにより、折り返しミラーと支持手段との当接部の静摩擦係数を小さくすることができ、折り返しミラーが熱膨張するときの折り返しミラーに掛かる摩擦力を小さくしている。
【００１７】
また、支持手段側の当接部にバリが生じた場合、該バリによって折り返しミラーにはヒステリシスが残り、折り返しミラーが撓んだままの状態となってしまうが、支持手段の当接部を、折り返しミラーの長手方向に沿った曲面とすることで、該当接部にバリを生じさせないようにすることができる。これにより、折り返しミラーのヒステリシスによる走査線の倍率変動を防止することができる。
【００１８】
請求項３に記載の発明は、前記支持手段側の当接部が、前記折り返しミラーの長手方向に沿って切削加工されたことを特徴としている。折り返しミラーは、長手方向に沿って熱膨張するため、支持手段側の当接部の当接面を、折り返しミラーの長手方向に直交する方向に沿って切削加工した場合、折り返しミラーの熱膨張に対して切削痕は抵抗となってしまう。
【００１９】
このため、請求項３に記載の発明では、支持手段側の当接部の当接面を、折り返しミラーの長手方向に沿って切削加工することで、切削痕の方向と折り返しミラーが熱膨張する方向を同じにして、支持手段と折り返しミラーとの当接部の静摩擦係数を０．３以下とすることができる。これにより、折り返しミラーに掛かる摩擦力を小さくすることができる。
【００２０】
請求項４に記載の発明は、前記折り返しミラー側の当接部に滑面材料がコーティングされたことを特徴としている。請求項４に記載の発明では、折り返しミラー側の当接部を滑面材料でコーティングし、折り返しミラーと支持手段の当接部の静摩擦係数が０．３以下となるようにしている。
【００２１】
請求項５に記載の発明は、走査偏光された走査光を反射する折り返しミラーと、前記折り返しミラーの長手方向の両端部で折り返しミラーを支持する支持手段と、前記支持手段に対応して前記折り返しミラーを押圧する押圧手段と、を備えた光走査装置において、前記折り返しミラーと前記支持手段との少なくとも一方の当接部に、前記当接部の静摩擦係数を０．３以下とする摺動部材が設けられたことを特徴としている。
【００２２】
請求項５に記載の発明では、折り返しミラーと支持手段との少なくとも一方の当接部に摺動部材を設け、当接部の静摩擦係数を０．３以下にしている。
【００２３】
請求項６に記載の発明は、前記摺動部材が円環状に形成され、前記支持手段側の当接部に挿通されたことを特徴としている。請求項６に記載の発明では、折り返しミラーと支持手段との当接部に摺動部材を介在させるため、折り返しミラーは支持手段のバリの影響を受け難くなり、ヒステリシスを低減させることができる。
【００２４】
また、支持手段側の当接部に摺動部材を挿通することで、支持部材と摺動部材との静摩擦係数、及び摺動部材と折り返しミラーとの静摩擦係数を０．３以下とすることができる。この場合、支持手段側と摺動部材との静摩擦係数、或いは摺動部材と折り返しミラーとの静摩擦係数のどちらか一方が０．３以上となったとしても、他方が０．３以下であれば、折り返しミラーに掛かる摩擦力を小さい状態のまま維持することができる。
【００２５】
また、円環状の摺動部材を、支持手段に挿通させるだけで、摺動部材が簡単に取り付けられるため、取付けが容易である。さらに、円環状の摺動部材を支持手段に挿通させるため、例えば、支持手段に固着した場合と比較して、剥がれ等の問題もない。
【００２６】
請求項７に記載の発明は、走査偏光された走査光を反射する折り返しミラーと、前記折り返しミラーの長手方向の両端部で折り返しミラーを支持する支持手段と、前記支持手段に対応して前記折り返しミラーを押圧する押圧手段と、を備えた光走査装置において、前記折り返しミラーと前記押圧手段が当接する当接部の少なくとも一方の当接部及び折り返しミラーと前記支持手段が当接する当接部の少なくとも一方の当接部に、前記当接部の静摩擦係数を０．３以下とする円環状の摺動部材が挿通されたことを特徴としている。
【００２７】
請求項７に記載の発明では、請求項６に記載の発明の効果に加え、円環状の摺動部材を、折り返しミラーに挿通させ、折り返しミラーと支持手段との当接部だけでなく、折り返しミラーと弾性部材の当接部においても、静摩擦係数を小さくすることができるため、折り返しミラーに掛かる摩擦力をさらに小さくすることができる。
【００２８】
請求項８に記載の発明は、請求項１〜７の何れかに記載の光走査装置を備えたことを特徴としている。請求項８に記載の発明では、折り返しミラーが撓むことによって生じる感光体面上の走査光の倍率変動を防止した光走査装置を備えることで、カラーレジずれを低減することができ、画像品質を高めることができる。
【発明の効果】
【００２９】
本発明は、上記構成としたので、請求項１、請求項４及び請求項５に記載の発明では、折り返しミラーと支持手段との少なくとも一方の当接部の静摩擦係数を小さくすることで、環境等の温度変化の影響により折り返しミラーが熱膨張しても、折り返しミラーを長手方向に沿って伸長させることができ、折り返しミラーの撓みは防止され、折り返しミラーが撓むことによって生じる感光体面上の走査光の倍率変動を防止することができる。
【００３０】
請求項２に記載の発明では、折り返しミラーと支持手段との当接部の静摩擦係数を小さくすることができ、折り返しミラーが熱膨張するときの折り返しミラーに掛かる摩擦力を小さくしている。また、支持手段の当接部を、折り返しミラーの長手方向に沿った曲面とすることで、該当接部にバリを生じさせないようにすることができ、折り返しミラーのヒステリシスによる走査線の倍率変動を防止することができる。
【００３１】
請求項３に記載の発明では、支持手段側の当接部の当接面を、折り返しミラーの長手方向に沿って切削加工することで、切削痕の方向と折り返しミラーが熱膨張する方向を同じにして、支持手段と折り返しミラーとの当接部の静摩擦係数を０．３以下とすることができる。これにより、折り返しミラーに掛かる摩擦力を小さくすることができる。
【００３２】
請求項６に記載の発明では、折り返しミラーと支持手段との当接部に摺動部材を介在させるため、折り返しミラーは支持手段のバリの影響を受け難くなり、ヒステリシスを低減させることができる。また、支持手段側の当接部に摺動部材を挿通することで、支持部材と摺動部材との静摩擦係数、及び摺動部材と折り返しミラーとの静摩擦係数を０．３以下とすることで、支持手段側と摺動部材との静摩擦係数、或いは摺動部材と折り返しミラーとの静摩擦係数のどちらか一方が０．３以上となったとしても、他方が０．３以下であれば、折り返しミラーに掛かる摩擦力を小さい状態のまま維持することができる。さらに、円環状の摺動部材を、支持手段に挿通させるだけで、摺動部材が簡単に取り付けられるため、取付けが容易である。さらに、円環状の摺動部材を支持手段に挿通させるため、例えば、支持手段に固着した場合と比較して、剥がれ等の問題もない。
【００３３】
請求項７に記載の発明では、請求項６に記載の発明の効果に加え、円環状の摺動部材を、折り返しミラーに挿通させ、折り返しミラーと支持手段との当接部だけでなく、折り返しミラーと弾性部材の当接部においても、静摩擦係数を小さくすることができるため、折り返しミラーに掛かる摩擦力をさらに小さくすることができる。
【００３４】
請求項８に記載の発明では、折り返しミラーが撓むことによって生じる感光体面上の走査光の倍率変動を防止した光走査装置を備えることで、カラーレジずれを低減することができ、画像品質を高めることができる。
【発明を実施するための最良の形態】
【００３５】
次に、本発明の実施の形態に係る光走査装置について説明する。
【００３６】
まず、光走査装置の概要について簡単に説明する。図２に示すように、光走査装置１０は光学箱１２を備えており、光学箱１２内には４個の光源（図示省略）が配設されている。各光源の半導体レーザからは、画像情報に応じて変調される光ビームＡＹ、ＡＭ、ＡＣ、ＡＫが出射されるようになっており、それら各光ビームＡＹ、ＡＭ、ＡＣ、ＡＫは、光学箱１２の底面中央に配置されたポリゴンミラー１４に入射して偏向走査される。
【００３７】
ポリゴンミラー１４の両側には、結像光学系としての走査レンズ１６（１６Ａ、１６Ｂ）、１６’（１６Ａ’、１６Ｂ’）が設けられ、さらに、各光ビームＡＹ、ＡＭ、ＡＣ、ＡＫの光路上には、複数の折り返しミラー１８（１８Ｙ、１８Ｍ、１８Ｃ、１８Ｋ）、２０（２０Ｙ、２０Ｍ、２０Ｃ、２０Ｋ）、２２（２２Ｙ、２２Ｍ、２２Ｃ、２２Ｋ）が配設されている。
【００３８】
これにより、ポリゴンミラー１４によって偏向走査された光ビームＡＹ、ＡＭ、ＡＣ、ＡＫは、走査レンズ１６又は走査レンズ１６’を通過し、それぞれの折り返しミラー１８、２０、２２で折り返された後、光ビームＡＹ、ＡＭ、ＡＣ、ＡＫ毎に、対応する感光体ドラム２４Ｙ、２４Ｍ、２４Ｃ、２４Ｋに結像される。
【００３９】
一方、図１に示すように、カラー画像形成装置２６は、光走査装置１０の上方に位置して感光体ドラム２４Ｙ、２４Ｍ、２４Ｃ、２４Ｋが横方向に並列配置されており、各感光体ドラム２４Ｙ、２４Ｍ、２４Ｃ、２４Ｋの上部は、中間転写ベルト２８と接している。
【００４０】
そして、光走査装置１０からの光ビームＡＹ、ＡＭ、ＡＣ、ＡＫにより、感光体ドラム２４Ｙ、２４Ｍ、２４Ｃ、２４Ｋが走査露光され、感光体ドラム２４Ｙ、２４Ｍ、２４Ｃ、２４Ｋ上に静電潜像が形成されると、各静電潜像は現像器（図示省略）によって現像され、１次転写ポイント３０Ｙ、３０Ｍ、３０Ｃ、３０Ｋで中間転写ベルト２８上に転写される。
【００４１】
中間転写ベルト２８上には、中間転写ベルト２８が図中の矢印Ａ方向に駆動することで、イエロー（Ｙ）、マゼンタ（Ｍ）、シアン（Ｃ）、ブラック（Ｋ）の順にトナー像が重ね合わせられる。
【００４２】
そして、これらのトナー像は、２次転写ポイント３２で、給紙カセット３４から送り出された用紙３６上に一括転写された後、カラー画像形成装置２６の上方に配設された定着器３８に送られ、転写像から定着像となる。
【００４３】
以上のプロセスにより、カラー画像形成装置２６によってカラー画像が用紙３６に印刷されると、カラー画像形成装置２６の上部に設けられた排紙トレイ４０に用紙３６が排出される。
【００４４】
次に、折り返しミラーの固定構造について詳細に説明する。なお、折り返しミラー１８Ｙ、１８Ｍ、１８Ｃ、１８Ｋは、同様の構造にて固定されるため、便宜上、折り返しミラー１８として説明する。
【００４５】
図３に示すように、折り返しミラー１８は、光学箱１２の底面１２Ａに設けられたミラー台座４２Ｒ、４２Ｌに載置されている。ミラー台座４２Ｒ、４２Ｌは、頂部が略円錐状とされ、折り返しミラー１８の底面との接触面積が小さくされている。
【００４６】
また、折り返しミラー１８の反射面１８Ａの長手方向（光ビーム走査方向）の両端側には、断面が略Ｌ字状を成す一対の支持部材４４Ｒ、４４Ｌが、光学箱１２の底面１２Ａから立設しており、支持部材４４Ｒ、４４Ｌの先端部が当接部５６として折り返しミラー１８に当接可能となっている。
【００４７】
さらに、折り返しミラー１８の裏面１８Ｂには、支持部材４４Ｒ、４４Ｌに対応して、金属製の板バネ等で形成された一対の弾性部材５２Ｒ、５２Ｌが光学箱１２の底面１２Ａに固定され、折り返しミラー１８を押圧している。
【００４８】
ここで、光学箱１２の側面１２Ｂには、断面がＬ字形のミラー角度調整部材４８がネジ４６で固定されており、ミラー角度調整部材４８を構成する調整ネジ５０の先端部が、折り返しミラー１８の支持部材４４Ｌ側の端部に当接し、折り返しミラー１８の角度調整を行なっている。
【００４９】
次に、本発明の実施の形態に係る光走査装置の要旨について説明する。
【００５０】
図３に示すように、折り返しミラー１８（折り返しミラー１８Ｙ、１８Ｍ、１８Ｃ、１８Ｋは、同様の構成であるため、折り返しミラー１８として説明する）には、支持部材４４Ｒの当接部５６の当接面５８と対面可能な折り返しミラー１８の当接面６０を含む領域に、滑面材料としてのＰＥＴ（ポリエチレンテレフタレート）等のフィルム部材５７をコーティングし、支持部材４４Ｒの当接面５８と折り返しミラー１８の当接面６０との静摩擦係数を０．３以下としている。
【００５１】
次に、本発明の実施の形態に係る光走査装置の作用について説明する。
【００５２】
例えば、折り返しミラー１８（折り返しミラー１８Ｙ、１８Ｍ、１８Ｃ、１８Ｋは、同様の作用を有するため、折り返しミラー１８として説明する）の両端部を支持部材４４Ｒ、４４Ｌで固定した場合、折り返しミラー１８が長手方向に沿って熱膨張すると、熱膨張した分だけ折り返しミラー１８は撓んでしまう。
【００５３】
しかし、図３に示すように、支持部材４４Ｒの当接部５６の当接面５８と対面可能な折り返しミラー１８の当接面６０に、ＰＥＴ等のフィルム部材５７をコーティングし、支持部材４４Ｒの当接面５８と折り返しミラー１８の当接面６０との静摩擦係数を０．３以下とすることで、支持部材４４Ｒの当接面５８と折り返しミラー１８の当接面６０とにおける摩擦力を小さくすることができ、環境等の温度変化の影響により折り返しミラー１８が熱膨張しても、折り返しミラー１８を長手方向に沿って伸長させることができる。
【００５４】
これにより、折り返しミラー１８の撓みは防止され、折り返しミラー１８が撓むことによって生じる感光体２４（図２参照）面上の走査光の倍率変動を防止することができる。
【００５５】
なお、本形態では、支持部材４４Ｒの当接面５８と対面可能な折り返しミラー１８の当接面６０に、ＰＥＴ等のフィルム部材５７をコーティングすることで、支持部材４４Ｒの当接面５８と折り返しミラー１８の当接面６０との静摩擦係数を０．３以下としたが、これに限るものではない。
【００５６】
例えば、図４に示すように、支持部材４４Ｒの当接部５６の当接面６２を、折り返しミラー１８の長手方向（矢印Ａ方向）に沿った曲面とし、支持部材４４Ｒの当接面６２と折り返しミラー１８の当接面６０（図３参照）との静摩擦係数を０．３以下としても良い。
【００５７】
このように、支持部材４４Ｒの当接面６２を、折り返しミラー１８の長手方向に沿った曲面とすることで、支持部材４４Ｒと折り返しミラー１８との当接面積を小さくしている。これにより、支持部材４４Ｒの当接面６２と折り返しミラー１８の当接面６０における静摩擦係数を小さくすることができ、折り返しミラー１８が熱膨張するときの摩擦力を小さくすることができる。
【００５８】
また、支持部材４４Ｒをアルミ等で形成すると、当接部５６の切削面にバリが発生することがあり、当接面６２にバリが生じた場合、該バリによって折り返しミラー１８にはヒステリシスが残り、折り返しミラー１８が撓んだままの状態となってしまう。
【００５９】
しかし、当接部５６を折り返しミラー１８の長手方向に沿った曲面とすることで当接部５６にバリが生じたとしても、バリは当接部５６の端部に発生するため、折り返しミラー１８との当接面６２には、ほとんどバリは生じないこととなり、折り返しミラー１８にはヒステリシスがほとんど残らない。このため、折り返しミラー１８のヒステリシスによる走査線の倍率変動を防止することができる。
【００６０】
また、図５に示すように、支持部材４４Ｒの当接部５６の当接面６４を、折り返しミラー１８の長手方向（矢印Ａ方向）に沿って切削加工し、支持部材４４Ｒの当接面６４と折り返しミラー１８の当接面６０（図３参照）との静摩擦係数を０．３以下としても良い。
【００６１】
折り返しミラー１８は、長手方向に沿って熱膨張するため、支持部材４４Ｒの当接面６４を、折り返しミラー１８の長手方向に直交する方向に沿って切削加工した場合、折り返しミラー１８が熱膨張するときに、切削痕が抵抗となってしまう。
【００６２】
このため、支持部材４４Ｒの当接面６４を、折り返しミラー１８の長手方向に沿って切削加工することで、切削痕の方向と折り返しミラー１８が熱膨張する方向を同じにする。これにより、折り返しミラー１８が熱膨張するときの折り返しミラー１８に掛かる摩擦力を小さくして、折り返しミラー１８は長手方向に沿って伸長させることができる。
【００６３】
さらに、図６に示すように、折り返しミラー１８の当接面６０にＰＥＴ等の摺動部材６６を貼着して、支持部材４４Ｒの当接面５８と折り返しミラー１８の当接面６０との静摩擦係数を０．３以下としても良い。
【００６４】
また、折り返しミラー１８の当接面６０にＰＥＴ等の摺動部材６６を貼着する代わりに、図７に示すように、円環状の摺動部材６８を支持部材４４Ｒに挿通しても良い。この場合、支持部材４４Ｒの当接面５８と折り返しミラー１８の当接面６０との間には、摺動部材６２が介在することとなる。
【００６５】
このように、支持部材４４Ｒの当接面５８と折り返しミラー１８の当接面６０との間に摺動部材６２を介在させることで、折り返しミラー１８は支持部材４４Ｒの当接部５６のバリの影響を受け難くなるため、ヒステリシスを低減させることができる。
【００６６】
また、支持部材４４Ｒの当接面５８と摺動部材６２との静摩擦係数、及び摺動部材６２と折り返しミラー１８の当接面６０との静摩擦係数を０．３以下とすることで、支持手段４４Ｒと摺動部材６２との静摩擦係数、或いは摺動部材６２と折り返しミラー１８との静摩擦係数のどちらか一方が０．３以上となったとしても、他方が０．３以下であれば、折り返しミラー１８に掛かる摩擦力を小さい状態のまま維持することができる。さらに、円環状の摺動部材６８を支持部材４４Ｒに挿通するだけで良いため、取付けが容易である。
【００６７】
また、図８に示すように、円環状の摺動部材７０を折り返しミラー１８に挿通させても良い。この場合、折り返しミラー１８の反射面１８Ａ側及び裏面１８Ｂ側に渡って摺動部材７０が取付けられることになるため、摺動部材７０を介して、支持部材４４Ｒと折り返しミラー１６との静摩擦係数だけでなく、折り返しミラー１８と弾性部材５２Ｒとの静摩擦係数も小さくすることができるため、折り返しミラー１８に掛かる摩擦力をさらに小さくすることができる。
【００６８】
ところで、図９（Ｂ）には、図６に示すように、折り返しミラー１８の当接面６０にＰＥＴ等の摺動部材６６を貼着したときの、環境の温度変化と感光体ドラム２４（図２参照）面上の走査線の倍率変化を示しており、摺動部材６６がない場合（図９（Ａ）参照）と比較すると、環境温度が１０℃程度上昇したとき、約７０ｍｍであった倍率変動が、約４０ｍｍとなり、約４０％低減され、環境温度がもとの温度に戻ったとき、ヒステリシスは約６５ｍｍから約１０ｍｍとなり、約８５％低減されていることが分かる。
【００６９】
このように、本発明の光走査装置１０（図２参照）では、支持部材４４Ｒの当接面５８と折り返しミラー１８の当接面６０における静摩擦係数を０．３以下にすることで、感光体２４（図２参照）面上の走査光の倍率変動を防止し、また、ヒステリシスを小さくすることができる。このような光走査装置１０を備えたカラー画像形成装置２６（図１参照）においては、カラーレジずれを低減することができ、画像品質を高めることができる。
【００７０】
なお、ここでは、支持部材４４Ｒ側の当接面５８、６０の静摩擦係数について、規定したが、支持部材４４Ｌ側の当接面５８、６０の静摩擦係数を規定しても良く、また、支持部材４４Ｒ及び支持部材４４Ｌの当接面５８、６０の静摩擦係数を規定しても良い。
【００７１】
また、ここでは、各形態について、個々に説明したが、各形態を複合させた状態で適用させても良い。例えば、図３に示す支持部材４４Ｒにおいて、当接面５８を、折り返しミラー１８の長手方向（矢印Ａ方向）に沿った曲面（図４参照）としても良い。
【００７２】
さらに、ここでは、折り返しミラー１８について説明したが、図２に示す折り返しミラー２０（２０Ｙ、２０Ｍ、２０Ｃ、２０Ｋ）、２２（２２Ｙ、２２Ｍ、２２Ｃ、２２Ｋ）についても同様である。
【図面の簡単な説明】
【００７３】
【図１】本発明の実施の形態に係るカラー画像形成装置を示す概略側面図である。
【図２】本発明の実施の形態に係る光走査装置を示す概略側面図である。
【図３】本発明の実施の形態に係る光走査装置に備えた折り返しミラーと支持部材との関係を説明する斜視図である。
【図４】本発明の実施の形態に係る光走査装置に備えた支持部材の当接面を示す斜視図である。
【図５】本発明の実施の形態に係る光走査装置に備えた支持部材の当接面の他の例を示す斜視図である。
【図６】本発明の実施の形態に係る光走査装置に備えた折り返しミラーと支持部材との関係を示す他の例の斜視図である。
【図７】本発明の実施の形態に係る光走査装置に備えた折り返しミラーと支持部材との関係を示すその他の例の斜視図である。
【図８】本発明の実施の形態に係る光走査装置に備えた折り返しミラーと支持部材との関係を示すその他の例の斜視図である。
【図９】環境の温度変化と感光体ドラム面上の走査線の倍率変化を示しており、（Ａ）は、折り返しミラーの当接面に摺動部材がない場合を示し、（Ｂ）は、折り返しミラーの当接面に摺動部材を貼着した場合を示している。
【図１０】従来の光走査装置を示す概略平面図である。
【図１１】従来の第２の光走査装置に備えた折り返しミラーが撓む状態を示す概略平面図である。
【符号の説明】
【００７４】
１０      光走査装置
１８      折り返しミラー
２０      折り返しミラー
２２      折り返しミラー
２６      カラー画像形成装置（多色画像形成装置）
４４Ｒ      支持部材（支持手段）
４４Ｌ      支持部材（支持手段）
５２Ｒ      弾性部材（押圧手段）
５２Ｌ      弾性部材（押圧手段）
５６      当接部
５７      フィルム部材（滑面材料）
５８      当接面（当接部）
６０      当接面（当接部）
６２      当接面（当接部）
６４      当接面（当接部）
６６      摺動部材
６８      摺動部材
７０      摺動部材
【図１】
2005234172.tif 000003
【図２】
2005234172.tif 000004
【図３】
2005234172.tif 000005
【図４】
2005234172.tif 000006
【図５】
2005234172.tif 000007
【図６】
2005234172.tif 000008
【図７】
2005234172.tif 000009
【図８】
2005234172.tif 000010
【図９】
2005234172.tif 000011
【図１０】
2005234172.tif 000012
【図１１】
2005234172.tif 000013